(57)【要約】【課題】任意の量の内容物を計量できると共に、粉粒物用容器内の内容物を容易に掻き出すことができる計量スプーンを提供する。【解決手段】器状の計量部１０と、該計量部１０に延設された長尺かつ平板状の把持部２０とを備える計量スプーン１において、前記把持部２０には、幅方向の両側に立設された側壁部３２と、該側壁部３２を連結する凸条３４とで囲まれ、板面の一方の面に開口する掻出部３０が先端２２側に形成されていることよりなる。前記掻出部３０の掻出部開口部３１と掻出部外底面３７との距離は、前記計量部１０の計量部開口部１４と計量部外底面１２との距離よりも短いことが好ましい。【選択図】図１
2012002779.tif 000002
【特許請求の範囲】
【請求項１】
器状の計量部と、該計量部に延設された長尺かつ平板状の把持部とを備える計量スプーンにおいて、
前記把持部には、幅方向の両側に立設された側壁部と、該側壁部を連結する凸条とで囲まれ、板面の一方の面に開口する掻出部が先端側に形成されていることを特徴とする計量スプーン。
【請求項２】
前記掻出部の開口部と外底面との距離は、前記計量部の開口部と外底面との距離より短いこと特徴とする、請求項１に記載の計量スプーン。
【発明の詳細な説明】
【技術分野】
【０００１】
本発明は、計量スプーンに関する。
【背景技術】
【０００２】
一般に、衣料用洗濯洗剤や自動食器洗浄機用洗剤等の粉粒物は、粉粒物用容器に収納され、粉粒物用容器に付属された計量スプーンで計量されて、使用に供される。粉粒物用容器に付属させる計量スプーンは、内容物を掬い取る器状の計量部と、この計量部に延設された把持部とを備え、計量部が内容物の使用量に応じた容量とされたものである。
計量スプーンの使用方法は、粉粒物用容器内の内容物を計量部で掬い取って計量し、計量した内容物を洗濯機や自動食器洗浄機等に投入するものである。内容物を計量する際には、計量部に形成された計量線に合わせて内容物を掬い取ったり、計量部の開口縁部で摺り切って、所望の量に調整する。
【０００３】
従来、計量作業の容易化を図るために様々な計量スプーンが提案されている。
例えば、特許文献１〜２には、容量の異なる一対の計量部を連結してなる計量スプーンが提案されている。
また、例えば、特許文献３には、計量部分の底に裏面から窪みを設けた計量スプーンが提案されている。
特許文献１〜３の計量スプーンによれば、１つの計量スプーンで、複数種の計量を行うことができる。
【先行技術文献】
【特許文献】
【０００４】
【特許文献１】特開２００１−３３６９６５号公報
【特許文献２】登録実用新案第３０３２１５０号公報
【特許文献３】登録実用新案第３００６２６１号公報
【発明の概要】
【発明が解決しようとする課題】
【０００５】
ところで、計量スプーンを粉粒物用容器内に単に収納すると、計量スプーンが内容物に埋没し、把持部が内容物で汚染されるという問題がある。この問題に対し、粉粒物用容器内外に計量スプーンの収納部（計量具収納部）を設けることで、内容物による計量スプーンの埋没を防止できる。その一方で、計量部に付着した内容物が計量具収納部内に持ち込まれ、計量具収納部内に内容物が堆積し、その堆積量が多くなると、計量具収納部に計量スプーンを収納できなくなったり、堆積した内容物が固結する等の問題がある。このため、適宜、計量具収納部内に堆積した内容物を排出する必要があるが、計量具収納部は狭小なため、計量部で掬い出すのは困難である。また、計量具収納部内に堆積した内容物を排出するために、粉粒物用容器自体を傾斜させて内容物を振り出そうとすると、内容物がこぼれ、周囲を汚染するおそれがある。
あるいは、内容物を消費していくと、粉粒物用容器内に少量の内容物が残留する。この残留した内容物を取り出すには、粉粒物用容器自体を傾斜させて内容物を振り出す操作が必要となる。粉粒物用容器自体を傾斜させると、内容物がこぼれ、周囲を汚染するおそれがある。
【０００６】
また、特許文献１〜３の計量スプーンは、計量する際の汎用性が高められているものの、粉粒物用容器内に残留した内容物、特に計量具収納部に堆積した内容物の除去を想定していない。加えて、単に、計量部の形状を内容物の掻き出しに適した形状とすると、所望する量の内容物を適切に計量できないという問題がある。
そこで、本発明は、任意の量の内容物を計量できると共に、粉粒物用容器内の内容物を容易に掻き出すことができる計量スプーンを目的とする。
【課題を解決するための手段】
【０００７】
本発明の計量スプーンは、器状の計量部と、該計量部に延設された長尺かつ平板状の把持部とを備える計量スプーンにおいて、前記把持部には、幅方向の両側に立設された側壁部と、該側壁部を連結する凸条とで囲まれ、板面の一方の面に開口する掻出部が先端側に形成されていることを特徴とする。
前記掻出部の開口部と外底面との距離は、前記計量部の開口部と外底面との距離より短いことが好ましい。
【発明の効果】
【０００８】
本発明の計量スプーンは、器状の計量部と、該計量部に延設された長尺かつ平板状の把持部とを備える計量スプーンにおいて、前記把持部には、幅方向の両側に立設された側壁部と、該側壁部を連結する凸条とで囲まれ、板面の一方の面に開口する掻出部が先端側に形成されているため、任意の量の内容物を計量できると共に、粉粒物用容器内の内容物を容易に掻き出すことができる。
本発明の計量用スプーンは、前記掻出部の開口部と外底面との距離は、前記計量部の開口部と外底面との距離より短いため、前記計量部における必要な容積の確保と、掻出部の良好な操作性の確保との両立が図れる。
【図面の簡単な説明】
【０００９】
【図１】（ａ）本発明の第一の実施形態にかかる計量スプーンの平面図である。（ｂ）本発明の第一の実施形態にかかる計量スプーンの側面図である。（ｃ）本発明の第一の実施形態にかかる計量スプーンの斜視図である。（ｄ）（ａ）のＸ−Ｘ断面図である。
【図２】本発明の計量スプーンを収納する粉粒物用容器の一例を示す斜視図である。
【図３】（ａ）図２の粉粒物用容器の平面図である。（ｂ）図２の粉粒物用容器の左側面図である。（ｃ）図２の粉粒物用容器の正面図である。（ｄ）図２の粉粒物用容器の右側面図である。（ｅ）図２の粉粒物用容器の底面図である。
【図４】本発明の計量スプーンを収納する粉粒物用容器の一例を示す斜視図である。
【図５】図１の計量スプーンを粉粒物用容器に収納した状態を示す粉粒物用容器の部分断面図である。
【図６】本発明の第二の実施形態にかかる計量スプーンの平面図である。
【図７】本発明の第三の実施形態にかかる計量スプーンの平面図である。
【図８】本発明の一実施形態にかかる計量スプーンの断面図である。
【図９】本発明の一実施形態にかかる計量スプーンの断面図である。
【発明を実施するための形態】
【００１０】
（第一の実施形態）
本発明の第一の実施形態にかかる計量スプーンについて、以下に図１を参照して説明する。図１（ａ）〜（ｄ）に示すように、計量スプーン１は、計量部１０と、計量部１０に延設された把持部２０とを備えるものである。
本実施形態において、計量スプーン１は、計量部１０と把持部２０とが一体成形されたものある。
【００１１】
計量部１０は、平面視略矩形の有底角筒形の器状とされ、計量部１０内に計量する対象となる粉粒物（計量対象物）を掬い取るものである。計量部１０には、必要に応じて目盛が形成されていてもよい。
【００１２】
計量部１０の計量部開口部１４近傍には、長尺かつ平板状の把持部２０が延設され、この把持部２０は、計量部１０から先端２２に向かって漸次拡幅する形状とされている。把持部２０の先端２２側には、把持部２０の幅方向の両側の縁部に立設された側壁部３２、３２と、側壁部３２、３２を連結する３つの凸条３４とにより、全体として凹形状の掻出部３０が形成されている。掻出部３０は、計量部１０の計量部開口部１４と略同方向に開口した掻出部開口部３１が形成され、その深さが計量部１０から先端２２に向かって漸次深くなる、即ち掻出部開口面３１と掻出部内底面３６とが漸次離れるものとされている。凸条３４は、把持部２０の面上に設けられたものであり、その立設方向Ｑ１が掻出部開口部３１と平行で把持部２０の長さ方向を示す基準線Ｐ１に略直交するものとされている。加えて、凸条３４は、その長さ方向が、基準線Ｐ１に略直交する直線状のものとされ、先端２２は、その幅方向が基準線Ｐ１に略直交する平坦面とされている。
【００１３】
計量部１０の容積は、特に限定されず、計量対象物の種類や用量を勘案し、計量部開口部１４の面積に応じて決定できる。
計量部１０の厚さＤ１、即ち計量部開口部１４と計量部外底面１２との距離は、特に限定されず、例えば、１０〜２０ｍｍとされる。
【００１４】
掻出部３０の深さ、即ち掻出部開口部３１と掻出部内底面３６との距離は、計量スプーン１の全体の大きさや等を勘案して決定でき、例えば、２〜８ｍｍとされる。
掻出部３０の内、最も厚い部分の厚み、即ち掻出部開口部３１と掻出部外底面３７との距離Ｄ２（本実施形態では先端２２の厚み）は、掻出部３０を挿入する空間の大きさ等を勘案して決定でき、例えば、３〜１０ｍｍとされる。３ｍｍ未満であると、後述する掻出操作において、一回の操作で掻き出せる量が少なく、操作が煩雑となる。１０ｍｍ超であると、掻出操作における計量スプーン１の操作性が悪くなる。
加えて、厚みＤ２は、Ｄ１＞Ｄ２とすることが好ましい。Ｄ１＞Ｄ２とすることで、計量部１０における必要な容積の確保と、掻出部３０の良好な操作性の確保との両立が図れる。
【００１５】
計量スプーン１の材質は、例えば、ポリエチレン、ポリプロピレン、ポリエチレンテレフタレート等のプラスチックが挙げられ、掬い取った内容物の量を確認できる点から、透明性を有する材質を用いることが好ましい。
【００１６】
次に、計量スプーン１の使用態様の一例について、計量スプーン１を収納する計量具収納部を備えた粉粒物用容器を例にして説明する。図２は、計量スプーン１を収納する粉粒物用容器１００の蓋体を開いた状態の斜視図である。図３（ａ）は粉粒物用容器の平面図、図３（ｂ）は粉粒物用容器の左側面図、図３（ｃ）は粉粒物用容器の正面図、図３（ｄ）は粉粒物用容器の右側面図、図３（ｅ）は粉粒物用容器の底面図である。図４は、蓋体を閉じた状態の粉粒物用容器１００の斜視図であり、図５は、図２における計量具収納部に計量スプーン１を収納した状態を示す粉粒物用容器１００の断面図である。なお、図中、符号１０７は、容器本体の底部を示すものである。
【００１７】
図２〜４に示すように、粉粒物用容器１００は、容器本体１０２と、容器本体１０２の開口部１０６を塞ぐ蓋体１０４とを備えたものであり、蓋体１０４は、ヒンジ１０５により開閉可能に容器本体１０２と蝶着されている。
【００１８】
容器本体１０２は、計量具収納部１１０が内容物収納部１２０に対し水平方向に並設されたものであり、全体として平面視略長方形とされている。
内容物収納部１２０は、平面視略Ｌ字状の第一の底壁部１２２と、この第一の底壁部１２２の周縁に立設された第一の側壁部１２４とからなり、第一の底壁部１２２と第一の側壁部１２４とで囲われた空間が、粉粒状の内容物を収納する内容物収納室１２１とされたものである。内容物収納部１２０は、平面視略Ｌ字状の有底筒状のものであり、対向する第一の側壁部１２４同士が、第一の底壁部１２２から開口部１０６に向かって暫時離れる形状とされたものである。
【００１９】
計量具収納部１１０は、第一の底壁部１２２のＬ字に囲まれた領域に位置する平面視略長方形の第二の底壁部１１２と、この第二の底壁部１１２の周縁に立設された第二の側壁部１１４とからなり、第二の底壁部１１２と第二の側壁部１１４とで囲われた空間が、計量スプーン等の計量具を収納する計量具収納室１１１とされたものである。計量具収納部１１０は、平面視長方形の有底筒状のものであり、対向する第二の側壁部１１４同士が、第二の底壁部１１２から開口部１０６に向かって暫時離れる形状とされている。
計量具収納部１１０の開口部周縁の一部と、内容物収納部１２０の開口部周縁の一部とは、連結部１３０により連結されており、連結部１３０は、平面視略Ｌ字状とされている。
【００２０】
第一の側壁部１２４の内、連結部１３０のＬ字の長手側に接続された第一の側壁部１２４ａと、第二の側壁部１１４の内、第一の側壁部１２４ａと対向する第二の側壁部１１４ａとは、離間し、かつ容器本体１０２の底部１０７から開口部１０６に向かって漸次近づくものとされている。
第一の側壁部１２４ａと第二の側壁部１１４ａとは、容器本体１０２同士を重ね合わせた際に、任意の容器本体１０２の隔壁１３１を、他の任意の容器本体１０２の第一の側壁部１２４ａと第二の側壁部１１４ａとの間に嵌挿できるものとされている。
【００２１】
第一の側壁部１２４の内、連結部１３０のＬ字の短手側に接続された第一の側壁部１２４ｂと、第二の側壁部１１４の内、第一の側壁部１２４ｂと対向する第二の側壁部１１４ｂとは、離間し、かつ容器本体１０２の底部１０７から開口部１０６に向かって漸次近づくものとされている。本実施形態において、内容物収納室１２１と計量具収納室１１１とは、第一の側壁部１２４ａ、１２４ｂ、第二の側壁部１１４ａ、１１４ｂ及び連結部１３０とからなる隔壁１３１により仕切られている。
【００２２】
また、容器本体１０２は、開口部１０６の大きさが、底部１０７の大きさより大きいものとされている。
以上の構成により、容器本体１０２の内面形状は、容器本体１０２の外面形状を嵌入可能とされている。
【００２３】
蓋体１０４は、略長方形の主壁部１４２と、主壁部１４２の周縁に設けられたフランジ１４４とを備え、蓋体１０４の内面、即ち、容器本体１０２の開口部１０６と対向する主壁部１４２の面には、連結部１３０の形状に対応した略Ｌ字状の凸条である閉止部１４６が設けられている。閉止部１４６は、蓋体１０４で開口部１０６を塞いだ際に、連結部１３０に当接するものとされている。
【００２４】
常態において、内容物収納室１２１には、衣料用洗濯洗剤、自動食器洗浄用洗剤等の粉粒状洗剤、粉粒状の調味料等の粉粒物が内容物として収納され、計量具収納室１１１には、計量スプーン１が収納され、蓋体１０４が閉じられている。この際、計量具収納室１１１は、隔壁１３１により内容物収納室１２１と仕切られ、かつ連結部１３０と閉止部１４６とが当接するため、内容物収納室１２１から隔離される。このように計量具収納室１１１は、内容物収納室１２１と隔離されているため、常態において内容物収納室１２１から計量具収納室１１１に内容物が浸入せず、計量スプーン１は内容物により把持部２０が汚染されることがない。
【００２５】
計量スプーン１の収納状態は、計量部１０が第二の底壁部１１２側、即ち計量具収納部１１０の内底面側となるように起立した状態とされる。内容物を計量する際には、図２のように蓋体１０４を開き、計量スプーン１を取り出し、把持部２０を持って内容物収納室１２１内に計量部１０を挿入し、計量部１０内に内容物を掬い取る。この際、計量部１０に形成された目盛に合わせて内容物の量を調整したり、計量部１０内の内容物を摺り切ることで、任意の量の内容物を計量する（計量操作）。そして、計量操作を終えた後は、計量スプーン１を計量具収納室１１１内に収納し、蓋体１０４を閉じて、常態とする。
【００２６】
計量操作を行うと、計量部１０には内容物が付着し、この付着した内容物が計量具収納室１１１内に持ち込まれる。計量操作が繰り返されると、計量具収納室１１１内に堆積した内容物（堆積内容物）が増量し、計量スプーン１を計量具収納室１１１に収納できなくなったり、堆積内容物が固結する等の問題が生じる。堆積内容物を排出するために、計量具収納室１１１内の堆積内容物を計量部１０で掬い出そうとしても、計量具収納室１１１が狭小であるため、計量スプーン１の操作が煩雑な上、十分に内容物を掬い出せない。また、粉粒物用容器１００を傾斜させて堆積内容物を排出しようとすると、内容物収納室１２１内の内容物が内容物収納室１２１からこぼれ出るおそれがある。
そこで、図５に示すように、計量具収納部１１０の内底面に堆積した堆積内容物９０に計量スプーン１の先端２２を挿入し、掻出部３０ａの掻出部開口部３１ａを第二の側壁部１１４の内周面に当接しつつ計量スプーン１ａのように引き上げる。この際、堆積内容物９０は、掻出部３０ａ内に確保された状態で、計量具収納室１１１外に掻き出される（掻出操作）。この掻出操作を繰り返すことで、堆積内容物９０を計量具収納室１１１から排出することができる。
排出操作の後、計量スプーン１を計量具収納室１１１に収納し、蓋体１０４を閉じることで常態とし、計量スプーン１と内容物とが収納された粉粒物用容器１００を保管できる。
【００２７】
加えて、内容物が減量し、少量の内容物が残存した場合、内容物収納室１２１内の内容物を計量部１０で掬い取るのが困難となる。特に、第一の底壁部１２２の内面と第一の側壁部１２４の内面との境界に存在する内容物を計量部１０に掬い取るのは困難である。内容物収納室１２１から、少量残存した内容物を排出するために、粉粒物用容器１００を傾斜させると、誤って粉粒物用容器１００を落下させるおそれがある。
そこで、前述の掻出操作と同様にして、内容物収納室１２１内の内容物を容易に掻き出すことができる。
【００２８】
本実施形態によれば、把持部の先端側に、幅方向の両側に立設された側壁部と、該側壁部を連結する凸条とで、掻出部が形成されているため、粉粒物用容器内の内容物、特に計量具収納室のような狭小な部材内の内容物を容易に掻き出すことができる。
【００２９】
加えて、本実施形態の計量スプーンは、上述した粉粒物用容器と組み合わせて粉粒物用の容器ユニットとすることで、使用後の計量スプーンを容易に収納でき、かつ内容物により把持部が汚染されるのを防止できる。さらに、計量具収納室から、適宜かつ容易に、堆積内容物を排出できる。
【００３０】
（第二の実施形態）
本発明の第二の実施形態にかかる計量スプーンについて、以下に図６を参照して説明する。図６に示すように、計量スプーン２００は、計量部１０と、計量部１０に延設された把持部２２０とを備えるものである。なお、第一の実施形態と同一の部材には同一の符号を付し、その説明を省略する。
本実施形態において、計量スプーン２００は、計量部１０と把持部２２０とが一体成形されたものある。
計量スプーン２００の材質は、第一の実施形態における計量スプーン１と同様である。
【００３１】
把持部２２０は、全体として計量部１０から先端２２２に向かって漸次拡幅した形状とされている。把持部２２０の先端２２２側には、把持部２２０の幅方向の両側の縁部に立設された側壁部２３２、２３２と、側壁部２３２、２３２を連結する３つの凸条２３４とにより、全体として凹形状の掻出部２３０が形成されている。掻出部２３０は、計量部開口部１４と略同方向に開口した掻出部開口部３１が形成され、その深さが計量部１０から先端２２２に向かって漸次深くなるものとされている。凸条２３４は、把持部２２０の面上に設けられたものであり、その立設方向が基準線Ｐ１に略直交するものとされている。加えて、凸条２３４は、側壁部２３２から基準線Ｐ１に向かうに従い、先端２２２方向に傾斜する形状、即ち、先端２２２方向を頂部とする平面視Ｖ字状とされ、先端２２２は、先端２２２を構成する凸条２３４により、Ｖ字の頂部が突出する形状とされている。
凸条２３４における長さ方向Ｑ２と、基準線Ｐ１とのなす角度θ２は、計量スプーン２２０を用いる粉粒物用容器の内底面の形状に応じて決定でき、例えば、３０〜６０°とされる。
【００３２】
本実施形態によれば、凸条が先端方向を頂部とする先端平面視Ｖ字状とされ、先端が鋭角に突出する形状とされているため、例えば、内底面に対し内側面が略垂直とされた内面形状の容器であっても、容易に堆積内容物や内容物を掻き出すことができる。
加えて、先端が平面視Ｖ字状とされているため、固結した内容物を粉砕しながら掻き出すことができる。
【００３３】
（第三の実施形態）
本発明の第三の実施形態にかかる計量スプーンについて、以下に図７を参照して説明する。図７に示すように、計量スプーン３００は、計量部１０と、計量部１０に延設された把持部３２０とを備えるものである。なお、第一の実施形態と同一の部材には同一の符号を付し、その説明を省略する。
本実施形態において、計量スプーン３００は、計量部１０と把持部３２０とが一体成形されたものある。
計量スプーン３００の材質は、第一の実施形態における計量スプーン１と同様である。
【００３４】
把持部３２０は、全体として計量部１０から先端３２２に向かって漸次拡幅した形状とされている。把持部３２０の先端３２２側には、把持部３２０の幅方向の両側の縁部に立設された側壁部３３２、３３２と、側壁部３３２、３３２を連結する３つの凸条３３４とにより、全体として凹形状の掻出部３３０が形成されている。掻出部３３０は、計量部開口部１４と略同方向に開口した掻出部開口部３１が形成され、その深さが計量部１０から先端３２２に向かって漸次深くなるものとされている。凸条３３４は、把持部３２０の面上に設けられたものであり、その立設方向が基準線Ｐ１に略直交するものとされている。加えて、凸条３３４は、側壁部３３２から基準線Ｐ１に向かうに従い、先端３２２方向に膨出する形状、即ち、平面視略円弧状とされている。先端３２２は、先端３２２を構成する凸条３３４により、円弧状に突出する形状とされている。
【００３５】
本実施形態によれば、凸条が先端方向に膨出する平面視略円弧状とされ、先端が円弧状に突出する形状とされているため、例えば、内底面と内側面とが曲面によって連結された内面形状の容器であっても、容易に内容物を掻き出すことができる。
【００３６】
（その他の実施形態）
本発明は上述の実施形態に限定されるものではない。
第一〜第三の実施形態は、計量部が平面視略矩形の有底角筒形とされているが、本発明はこれに限定されず、例えば、計量部が平面視三角形、平面視五角形等、平面視矩形以外の有底角筒形とされていてもよいし、平面視真円形、平面視楕円形等の有底円筒形とされていてもよいし、半球形の器であってもよい。
【００３７】
第一〜第三の実施形態では、把持部が計量部から先端に向かって漸次拡幅するものとされているが、本発明はこれに限定されず、例えば、把持部は、計量部から先端にかけて同一の幅であってもよいし、縮幅するものであってもよい。ただし、掻出操作を容易とする観点から、把持部は計量部から先端に向かって漸次拡幅するものが好ましい。
【００３８】
第一〜第三の実施形態では、３つの凸条が設けられているが、本発明はこれに限定されず、凸条の数は２つ以下でもよいし、４つ以上であってもよい。
【００３９】
第一〜第三の実施形態では、凸条の立設方向が基準線Ｐ１に略直交するものとされているが、本発明はこれに限定されず、凸条の立設方向と基準線Ｐ１とのなす角度は、粉粒物用容器の内面形状等を勘案して決定できる。
【００４０】
例えば、図８に示す計量スプーン４００のように、基準線Ｐ１に対し、凸条３４の立設方向Ｑ３が先端２２方向に傾斜していてもよい。計量スプーン４００は、平面視略矩形で有底略角筒状の計量部４１０と、計量部４１０に延設された把持部２０とを備えるものである。計量部４１０の側壁部の内、把持部２０が接続されている側壁部４１７は、内底面１２から計量部開口部１４に向かうに従い、側壁部４１７と対向する側壁部４１６から離れるように傾斜するものである。
凸条３４は、その立設方向Ｑ３と基準線Ｐ１とのなす角度θ３が、９０°超であれば特に限定されず、例えば、９０°超１２０°未満とされる。
このように凸条３４の立設方向Ｑ３が先端２２方向に傾斜していることで、先端２２を粉粒物用容器内の内容物に差し込みやすくなり、掻出操作が容易となる。
【００４１】
また、例えば、図９に示す計量スプーン５００のように、基準線Ｐ１に対し、凸条３４の立設方向Ｑ４が計量部５１０方向に傾斜していてもよい。計量スプーン５００は、平面視略矩形で有底略角筒状の計量部５１０と、計量部５１０に延設された把持部２０とを備えるものである。計量部５１０の側壁部の内、把持部２０が接続されている側壁部５１７に対向する側壁部５１６は、内底面１２から計量部開口部１４に向かうに従い、側壁部５１６から離れるように傾斜するものである。
凸条３４は、その立設方向Ｑ４と基準線Ｐ１とのなす角度θ４が、９０°未満であれば特に限定されず、例えば、４５°以上９０°未満とされる。
このように凸条３４の立設方向Ｑ４が計量部５１０方向に傾斜していることで、掻出操作の際、掻出部５３０から内容物がこぼれにくくなる。
【００４２】
第一〜第三の実施形態では、掻出部は、掻出部開口部が計量部開口部と略同方向となるように、把持部の板面の一方に設けられている。しかしながら、本発明はこれに限定されず、例えば、掻出部は、掻出部開口部が把持部の板面の両方の面に形成されるように設けられていてもいし、掻出部開口部が計量部開口部と反対側に向くように設けられていてもよい。
【符号の説明】
【００４３】
１、２００、３００、４００、５００  計量スプーン
１０、４１０、５１０  計量部
１２  計量部外底面
１４  計量部開口部
２０、２２０、３２０  把持部
２２、２２２、３２２  先端
３０、２３０、３３０、４３０、５３０  掻出部
３１  掻出部開口部
３２、２３２、３３２  側壁部
３４、２３４、３３４  凸条
３７  掻出部外底面
【図１】
2012002779.tif 000003
【図２】
2012002779.tif 000004
【図３】
2012002779.tif 000005
【図４】
2012002779.tif 000006
【図５】
2012002779.tif 000007
【図６】
2012002779.tif 000008
【図７】
2012002779.tif 000009
【図８】
2012002779.tif 000010
【図９】
2012002779.tif 000011